(57)【要約】【課題】本発明の課題は、ＤＳＰの電源をＯＦＦにしても、省電力化が図れ、かつ該ＤＳＰの破壊を招くことのない光ディスク装置を提供することである。【解決手段】上記課題は、光ディスク装置に設けられたＤＳＰ（ディジタルシグナル・プロセッサ）が、光ディスクを回転させるスピンドルモータの回転数をスピンドルドライバより出力されるＦＧ信号を取り込んで制御する光ディスク装置であって、前記スピンドルドライバより出力されるＦＧ信号の電源電圧と前記ＤＳＰへの入力信号の電源電圧を変換する電源電圧変換手段を備え、前記電源電圧変換手段を前記スピンドルドライバと前記ＤＳＰの間に挿入することを特徴とする光ディスク装置にて解決される。【選択図】　図１
2004079144.tif 000002
【特許請求の範囲】
【請求項１】
光ディスク装置に設けられたＤＳＰ（ディジタルシグナル・プロセッサ）が、光ディスクを回転させるスピンドルモータの回転数をスピンドルドライバより出力されるＦＧ信号を取り込んで制御する光ディスク装置であって、
前記スピンドルドライバより出力されるＦＧ信号の電源電圧と前記ＤＳＰへの入力信号の電源電圧を変換する電源電圧変換手段を備え、
前記電源電圧変換手段を前記スピンドルドライバと前記ＤＳＰの間に挿入することを特徴とする光ディスク装置。
【請求項２】
請求項１記載の光ディスク装置において、
前記電源電圧変換手段として、トランジスタによる反転回路が挿入されてなることを特徴とする光ディスク装置。
【請求項３】
請求項１記載の光ディスク装置において、
前記電源電圧変換手段として、ダイオードによる非反転回路が挿入されてなることを特徴とする光ディスク装置。
【請求項４】
請求項１記載の光ディスク装置において、
前記電源電圧変換手段として、論理反転回路が挿入されてなることを特徴とする光ディスク装置。
【発明の詳細な説明】
【０００１】
【発明の属する技術分野】
本発明は、光ディスク装置に係り、詳しくは、ドライバＩＣとＤＳＰの電源電圧が異なる際に電源電圧を変換する光ディスク装置に関する。
【０００２】
【従来の技術】
ＣＤ（コンパクトディスク）、ＣＤ−ＲＯＭ、ＣＤ−Ｒ、ＣＤ−ＲＷのような光ディスクを記録・再生する光ディスク装置が知られている。このような光ディスク装置には、通常、光ディスクを回転駆動するモータであるスピンドルモータが備えられており、このスピンドルモータの回転数がＤＳＰにて制御される。具体的には、スピンドルドライバＩＣが上記スピンドルモータの回転数に比例した周波数を有するＦＧ（　Ｆｒｅｑｕｅｎｃｙ　ｇｅｎｅｒａｔｏｒ　ｏｕｔｐｕｔ）信号を生成してＤＳＰに出力し、ＤＳＰがこのＦＧ信号を取り込んでスピンドルモータの回転を制御する。このように従来の光ディスク装置では、スピンドルモータの回転数が所定数になるようＦＧ信号に応じて制御されるようになっている。
【０００３】
【発明が解決しようとする課題】
ところで、従来の光ディスク装置では、上で示したスピンドルドライバＩＣとＤＳＰの電源電圧が異なる場合がある。この場合、ＤＳＰの電源電圧の方がスピンドルドライバＩＣの電源電圧より低いため、スピンドルドライバＩＣの出力を抵抗で分圧するような出力回路構成とすることで正常に動作する。
【０００４】
ここで、光ディスク装置の低消費電流化を検討した場合、ＤＳＰを動作させる必要のないときはサーボ系の電源、つまり、上記ＤＳＰとスピンドルドライバＩＣの電源をＯＦＦにすることが望ましいが、スピンドルドライバＩＣには、比較的多くの電流が流れるので容易にはＯＦＦすることはできない。そこで、スピンドルドライバＩＣについては、ミュート動作をさせて電流を低減させるが、このとき、スピンドルドライバＩＣの出力であるＦＧ出力がハイレベル（以下、単に「Ｈ」という）である場合が一般的である。このような状態でＤＳＰの電源をＯＦＦにした場合、受け側のＤＳＰには、“Ｈ”の電圧（例：５Ｖ）が供給されるため、無効な電流が発生し、当該ＤＳＰの破壊の恐れがある。
【０００５】
本発明は、上記のような問題点に鑑みてなされたもので、その課題とするところは、ＤＳＰの電源をＯＦＦにしても、省電力化が図れ、かつ該ＤＳＰの破壊を招くことのない光ディスク装置を提供することである。
【０００６】
【課題を解決するための手段】
上記課題を解決するため、本発明は、請求項１に記載されるように、光ディスク装置に設けられたＤＳＰ（ディジタルシグナル・プロセッサ）が、光ディスクを回転させるスピンドルモータの回転数をスピンドルドライバより出力されるＦＧ信号を取り込んで制御する光ディスク装置であって、前記スピンドルドライバより出力されるＦＧ信号の電源電圧と前記ＤＳＰへの入力信号の電源電圧を変換する電源電圧変換手段を備え、前記電源電圧変換手段を前記スピンドルドライバと前記ＤＳＰの間に挿入することを特徴としている。
【０００７】
本発明の請求項２は、前記光ディスク装置において、前記電源電圧変換手段として、トランジスタによる反転回路が挿入されてなることを特徴としている。
【０００８】
本発明の請求項３は、前記光ディスク装置において、前記電源電圧変換手段として、ダイオードによる非反転回路が挿入されてなることを特徴としている。
【０００９】
本発明の請求項４は、前記光ディスク装置において、前記電源電圧変換手段として、論理反転回路が挿入されてなることを特徴としている。
【００１０】
上記本発明の構成によれば、スピンドルドライバからのＦＧ出力端と、ＤＳＰ入力端に反転回路または非反転回路を挿入するので、ＦＧ出力が“Ｈ”であっても論理的な反転・非反転動作によりＤＳＰ入力への電圧を生じさせないことが可能となる。その結果、ＤＳＰ非動作時の省電力化が図れるとともに、ＤＳＰの破壊を防ぐことができる。
【００１１】
【発明の実施の形態】
以下、本発明の実施の形態を図面に基づいて説明する。
【００１２】
図１は、本発明の実施の一形態に係る光ディスク装置は、例えば、図１に示すように構成される。図１において、本発明の光ディスク装置は、例えば、ＣＤ−ＲＯＭドライブ装置であって、ディスク（光ディスク）１１、光ピックアップ１２、スピンドルモータ１３、ＲＦアンプＩＣ１４、サーボ処理部１５、ＤＳＰ（信号処理部）１６、スピンドルドライバ（＝ドライバＩＣ）１７、電源電圧変換部１８から構成される。スピンドルドライバ１７は、サーボ処理部１５から出力されるスピンドルサーボ制御信号を用いて、ディスク１１が線速度一定（ＣＬＶ）又は回転速度一定（ＣＡＶ）に回転するようにスピンドルモータ１３を駆動する。又、スピンドルモータ１３に設けられたＦＧ（図示省略）よりスピンドルモータ１３の回転を検出して回転周期に応じた（比例した）周期のＦＧ信号を電源電圧変換部１８を介してＤＳＰ１６に出力する。ＤＳＰ１６は、上記ＦＧ信号を取り込み、そのＦＧ信号に含まれるモータの回転数情報に基づいてスピンドルモータが回転制御されるよう必要な情報をサーボ処理部１５に送出する。
【００１３】
上記のように構成された光ディスク装置において、本発明の動作概要について説明する。スピンドルドライバ１７からのＦＧ出力として、“Ｈ”（例：５Ｖ電源系のＴＴＬ）が出力された場合、電源電圧変換部１８は、この“Ｈ“の電圧をローレベル（以下、単に「Ｌ」という、ここでは、Ｌは最大０．５Ｖ程度）の電圧に変換する。すなわち、ＤＳＰ１６の電源をＯＦＦにした場合であっても、上述した電源電圧変換部１８によりＦＧ出力の電源電圧が“Ｌ”に変換されるので、ＤＳＰ１６への電圧発生を生じさせないようにすることができる。その結果、ＤＳＰ１６非動作時の低消費電流化が図れ、かつＤＳＰ１６へ“Ｈ”の電圧印加をさけることができるので、当該ＤＳＰ１６の破壊を未然に防ぐことが可能となる。
【００１４】
図２は、上記電源電圧変換部１８の具体的な回路構成例（反転回路）を示した図である。
【００１５】
（実施形態１）
図２において、この回路は、トランジスタＱ２１を用いた反転回路で構成され、トランジスタＱ２１のエミッタは接地端子に接続され、ベースは第１の抵抗（Ｒ１）２２に接続される。また、トランジスタＱ２１のベース、エミッタ間には必要に応じて第２の抵抗（Ｒ２）２４が接続される。さらに、第３の抵抗（Ｒ３）２３をトランジスタＱ２１のコレクタとＤＳＰ１６用直流電源（本例では、３Ｖ系）回路の負側出力端に接続される。
【００１６】
上記のようなトランジスタＱ２１による回路構成において、ＤＳＰ１６電源ＯＦＦ（スピンドルドライバ１７ミュート時）時に、スピンドルドライバ１７からの出力として“Ｈ”の信号がトランジスタＱ２１に入力（▲１▼）されると、トランジスタＱ２１がＯＦＦになってＤＳＰ１６への入力（＝ＦＧ出力、▲２▼）は“Ｌ”へと反転される。すなわち、▲１▼−▲２▼間で電圧が“Ｈ”→“Ｌ”に変換されるので、ＤＳＰ１６入力に電圧を発生させないことことができる。したがって、ＤＳＰ１６非動作時の省電流化が図れ、かつＤＳＰ１６の破壊を防止することが可能となる。
【００１７】
上記実施形態では、電源電圧変換部１８として反転回路を用いて入力電圧を反転させる形態であったが、非反転回路を電源電圧変換部１８に適用することでＤＳＰ１６入力に電圧を発生させないようにすることも可能である。以下、この場合の実施形態について説明する。
【００１８】
（実施形態２）
図３は、上記電源電圧変換部１８の具体的な回路構成例（非反転回路）を示した図である。図３において、この回路は、ダイオードＤ３１を用いた非反転回路で構成され、ダイオードＤ３１のアノード端子に抵抗（Ｒ１０）３２が接続される。
【００１９】
上記のようなダイオードＤ３１による回路構成において、ＤＳＰ１６の電源をＯＦＦにすると、スピンドルドライバ１７からの出力が“Ｈ”であっても、スピンドルドライバ１７出力（ＦＧ入力、▲１▼）とＤＳＰ１６入力間に挿入されているダイオードＤ３１により、ＤＳＰ１６入力側（▲２▼）へ無効な電流が流れない。すなわち、ＤＳＰ１６入力側（▲２▼）への電圧発生を生じさせないようにすることができるので、ＤＳＰ１６に“Ｈ”電圧の印加が避けられ、当該ＤＳＰ１６の破壊を防ぐことができる。さらに、本実施形態の場合、上記実施形態１よりも部品点数が少ないので、回路の省スペース化を実現することができる。ただしＤＳＰの電源が低い、すなわち十分低いＬｏｗレベルが必要な場合、ショットキダイオード（Ｄｉ）が選定される。これにより、“Ｌ”と“Ｈ”を明確に区別することが可能となる。
【００２０】
なお、上述の実施形態は本発明の好適な実施の一例であり、これに限定されるものではない。本発明の要旨を逸脱しない範囲内において種々変形実施が可能である。例えば、入力に対して出力が常に逆転する論理反転回路（ＮＯＴ回路）を
上記電源電圧変換部として適用してもよい。
【００２１】
上記例において、電源電圧変換部１８の電源電圧変換機能が電源電圧変換手段に対応する。
【００２２】
【発明の効果】
以上、説明したように、本発明の構成によれば、スピンドルドライバからのＦＧ出力端と、ＤＳＰ入力端に反転回路または非反転回路を挿入するので、ＦＧ出力が“Ｈ”であっても論理的な反転・非反転動作によりＤＳＰ入力への電圧を生じさせないことが可能となる。その結果、ＤＳＰ非動作時の省電力化が図れるとともに、ＤＳＰの破壊を防ぐことができる。
【００２３】
【図面の簡単な説明】
【図１】本発明に係る光ディスク装置の概略構成図
【図２】図１に示す電源電圧変換部の回路構成例（反転回路）を示す図である。
【図３】図１に示す電源電圧変換部の回路構成例（非反転回路）を示す図である。
【符号の説明】
１１　ディスク
１２　光ピックアップ
１３　スピンドルモータ
１４　ＲＦアンプＩＣ
１５　サーボ処理部
１６　ＤＳＰ（信号処理部）
１７　スピンドルドライバ
１８　電源電圧変換部
２１　トランジスタＱ
２２〜２４、３２　抵抗
３１　ダイオード
【図１】
2004079144.tif 000003
【図２】
2004079144.tif 000004
【図３】
2004079144.tif 000005